(57)【要約】【課題】鉱石から放射されたイオンを周囲に効率良く放出することができ、かつ、優れた外観デザインを備えるイオン放射具及び装身具を提供する。【解決手段】イオン放射具１００は、イオンを放射する鉱石１１１を備えるイオン放射部１１０と、イオン放射部を保持するハウジング１２０と、を有し、ハウジングは、ハウジング本体部１３０と、ハウジング本体部の内側に形成され、ハウジング本体部の外部と連通する空間部１４０と、を有し、イオン放射部は、イオン放射部の少なくとも一部とハウジング本体部の少なくとも一部との間に隙間ｇ１、ｇ２を隔てた状態で、空間部に配置されている。【選択図】図１
0003229115.tif 000002
【実用新案登録請求の範囲】
【請求項１】
イオンを放射する鉱石を備えるイオン放射部と、
前記イオン放射部を保持するハウジングと、を有し、
前記ハウジングは、
ハウジング本体部と、
前記ハウジング本体部の内側に形成され、前記ハウジング本体部の外部と連通する空間部と、を有し、
前記イオン放射部は、前記イオン放射部の少なくとも一部と前記ハウジング本体部の少なくとも一部との間に隙間を隔てた状態で、前記空間部に配置されている、イオン放射具。
【請求項２】
前記ハウジング本体部の外面の少なくとも一部及び前記ハウジング本体部の内面の少なくとも一部には、前記ハウジング本体部の外部への前記イオンの放出を促す溝部が設けられている、請求項１に記載のイオン放射具。
【請求項３】
前記溝部は、
前記ハウジング本体部の内面に形成された第１溝部と、
前記ハウジング本体部の外面において前記第１溝部と少なくとも一部が重なる位置に形成された第２溝部と、を有する請求項２に記載のイオン放射具。
【請求項４】
前記ハウジング本体部は、長手方向に延びる縦長の外形を有し、
前記空間部は、前記長手方向及び前記長手方向と直交する幅方向の各々の方向と直交する厚み方向に貫通する孔部で構成されており、
前記イオン放射部は、前記ハウジング本体部の前記長手方向の一端部及び前記ハウジング本体部の前記長手方向の他端部との間に前記隙間を隔てた状態で、前記空間部に配置されている、請求項１〜３のいずれか１項に記載のイオン放射具。
【請求項５】
前記ハウジング本体部は、長円形状を有し、
前記鉱石は、球形状を有し、
前記イオン放射部は、前記ハウジング本体部の前記長手方向の略中心位置に配置されている、請求項４に記載のイオン放射具。
【請求項６】
前記イオン放射部は、前記ハウジングに前記鉱石を取り付けるための台座部を有し、
前記台座部は、前記鉱石の外表面の少なくとも一部を露出させる開口部を有する、請求項１〜５のいずれか１項に記載のイオン放射具。
【請求項７】
請求項１〜６のいずれか１項に記載のイオン放射具と、
前記イオン放射具を身体に装着するための付属部材と、を有する装身具。
【請求項８】
前記付属部材は、前記身体の一部に前記イオン放射部を保持可能にする細長い部材を有し、
前記ハウジング本体部には、前記細長い部材を取り付け可能にする孔部が設けられている、請求項７に記載の装身具。
【請求項９】
前記イオン放射部は、ネックレスヘッドであり、
前記細長い部材は、金属製のチェーンである、請求項８に記載の装身具。
【考案の詳細な説明】
【技術分野】
【０００１】
本考案は、イオン放射具及び装身具に関する。
【背景技術】
【０００２】
イオンを放射可能な部品を備えるネックレスやブレスレットなどの装身具（アクセサリー）が提案されている。このようなアクセサリーとして、例えば、身体に装着される紐状の本体部分を有し、該本体部分の一部又は全体にイオンを放出可能な物質等を含有させたものが知られている（特許文献１を参照）。
【先行技術文献】
【特許文献】
【０００３】
【特許文献１】特開２０１０−２０７４１１号公報
【考案の概要】
【考案が解決しようとする課題】
【０００４】
特許文献１に記載された装身具では、次のような点が課題となる。
【０００５】
特許文献１の装身具では、紐状に構成された本体部分に、イオンを放出可能な粉末状の物質や粒子状の物質を含有させている。そのため、本体部分の長さや太さによってイオンを放出可能な物質の含有量が制限される。それにより、装身具からのイオンの放出量を大幅に増加させることが難しい。
【０００６】
上記のような課題に対して、例えば、特許文献１の装身具にイオンを放出する鉱石を配置した場合、装身具からのイオンの放出量を増加させることが可能であると考えられる。ただし、装身具の本体部が長細い紐状に構成されているため、鉱石を配置することによる外観デザインの低下や、製品仕様の大幅な変更等が生じる。
【０００７】
本考案は上記の課題を鑑みてなされたものであり、鉱石から放射されたイオンを周囲に効率良く放出することができ、かつ、優れた外観デザインを備えるイオン放射具及び装身具を提供することを目的とする。
【課題を解決するための手段】
【０００８】
本考案に係るイオン放射具は、イオンを放射する鉱石を備えるイオン放射部と、前記イオン放射部を保持するハウジングと、を有し、前記ハウジングは、ハウジング本体部と、前記ハウジング本体部の内側に形成され、前記ハウジング本体部の外部と連通する空間部と、を有し、前記イオン放射部は、前記イオン放射部の少なくとも一部と前記ハウジング本体部の少なくとも一部との間に隙間を隔てた状態で、前記空間部に配置されている。
【考案の効果】
【０００９】
上記のイオン放射具によれば、ハウジングの空間部に配置されたイオン放射部が備える鉱石から放射されたイオンは、イオン放射部とハウジング本体部との間に形成された隙間を介して、ハウジング本体部の周囲へ向けて効率良く放射される。また、ハウジングの空間部及び空間部に配置されたイオン放射部は、ハウジングの外部から視認可能である。そのため、イオン放射具は、空間部及びイオン放射部によって、優れた造形性を備える外観デザインを構成することができる。
【図面の簡単な説明】
【００１０】
【図１】本考案の実施形態に係る装身具及びイオン放射具の使用例を示す斜視図である。
【図２】イオン放射具の正面図である。
【図３】図２に示す矢印３Ａ方向から視たイオン放射具の側面図である。
【図４】図２に示す矢印４Ａ−４Ａ線に沿うイオン放射具の断面図である。
【図５】図２に示す矢印５Ａ−５Ａ線に沿うイオン放射具の断面図である。
【図６】図３に示す矢印６Ａ−６Ａ線に沿うイオン放射具の断面図である。
【図７】変形例に係る装身具及びイオン放射具の斜視図である。
【図８】変形例１に係る台座部を示す図である。
【図９】変形例２に係る台座部を示す図である。
【考案を実施するための形態】
【００１１】
以下、添付した図面を参照しながら、本考案の実施形態を説明する。なお、以下の記載は実用新案登録請求の範囲に記載される技術的範囲や用語の意義を限定するものではない。また、図面の寸法比率は説明の都合上誇張されており、実際の比率とは異なる場合がある。
【００１２】
図１〜図６は、実施形態に係る装身具１０及びイオン放射具１００を示す図である。
【００１３】
図１は、装身具１０及びイオン放射具１００の使用例を示す斜視図である。図２は、イオン放射具１００の正面図であり、図３はイオン放射具１００の側面図である。図４〜図６は、イオン放射具１００の各部の断面図である。
【００１４】
図２〜図６において、ハウジング１２０のハウジング本体部１３０の長手方向を矢印Ｘで示し、長手方向と直交する幅方向を矢印Ｙで示し、長手方向及び幅方向の各々と直交する厚み方向を矢印Ｚで示す。
【００１５】
以下、本実施形態に係る装身具１０及びイオン放射具１００について詳述する。
【００１６】
＜装身具＞
図１に示すように、イオン放射具１００は、例えば、所定の付属部材２００と組み合わせることにより、装身具１０を構成することができる。
【００１７】
本明細書の説明では、イオン放射具１００をネックレスヘッドとして構成し、装身具１０を自然人の身体Ｈの首に装着可能なネックレスとして構成した例を説明する。ただし、イオン放射具１００の具体的な用途は装身具１０に限定されず、例えば、キーホルダー等の物品に適用することも可能である。
【００１８】
また、イオン放射具１００で装身具１０を構成する場合においても、ブレスレットやアンクレットのようなネックレス以外の物品に適用することも可能である。また、装身具１０は、例えば、自然人以外の動物（犬や猫等）への装着を目的とした物品として構成することも可能である。
【００１９】
＜イオン放射具＞
イオン放射具１００は、図１、図２に示すように、イオンを放出する鉱石１１１を備えるイオン放射部１１０と、イオン放射部１１０を保持するハウジング１２０と、を有する。
【００２０】
＜イオン放射部＞
イオン放射部１１０は、鉱石１１１と、ハウジング１２０に鉱石１１１を取り付けるための台座部１１３と、を有する。
【００２１】
鉱石１１１としては、例えば、ブラックシリカ鉱石、チタン鉱石、モナザイト鉱石等のマイナスイオンを放出する天然鉱石を使用することができる。
【００２２】
イオン放射部１１０は、図２、図６に示すように、イオン放射部１１０の少なくとも一部とハウジング本体部１３０の少なくとも一部との間に所定の隙間ｇ１、ｇ２を隔てた状態で、空間部１４０に配置されている。隙間ｇ１、ｇ２の詳細については後述する。
【００２３】
鉱石１１１は、図１に示すように、例えば、球形状に形成することができる。鉱石１１１を球形状に形成した場合、鉱石１１１を中心にして、鉱石１１１の周囲へイオンを放射状に放射することができる。そのため、ユーザーに対してより多くのイオンを効率良く放射することができる。
【００２４】
なお、鉱石１１１の形状は、球形状のみに限定されることはない。鉱石１１１の形状は、例えば、楕円形、多角形、その他の幾何学的な形状等で構成することもできる。
【００２５】
鉱石１１１は、図１、図２、図５に示すように、台座部１１３に固定されている。台座部１１３はハウジング本体部１３０に固定されている。鉱石１１１は台座部１１３とともに、空間部１４０に配置されている。
【００２６】
鉱石１１１及び台座部１１３は、例えば、図５に示すように、ハウジング本体部１３０の外部へはみ出ることのないように、空間部１４０内に収容することができる。
【００２７】
台座部１１３は、図２に示すように、鉱石１１１の外表面の少なくとも一部を露出させる開口部１１３ａを有する。本実施形態では、台座部１１３は、図２に示す正面視において、鉱石１１１の中心を通る格子状（十字状）の枠体で構成している。
【００２８】
鉱石１１１は、ハウジング本体部１３０に固定された台座部１１３を介して、ハウジング本体部１３０に位置固定的に保持されている。そのため、イオン放射具１００は、鉱石１１１の材質や形状に関わらず、台座部１１３により、ハウジング本体部１３０の任意の位置に対して鉱石１１１をしっかりと固定することができる。
【００２９】
また、台座部１１３は、鉱石１１１の外表面の少なくとも一部を露出させる開口部１１３ａを有するため、台座部１１３の内側に配置された鉱石１１１から放出されるイオンを、台座部１１３の外部及びハウジング本体部１３０の外部へ効率良く放出させることができる。
【００３０】
上記に加えて、台座部１１３は、正面視において十字状に延びる形状を有しているため、球形状に形成された鉱石１１１と相まって、イオン放射具１００の外観デザインを向上させることができる。
【００３１】
台座部１１３の形状、大きさ、開口部１１３ａの形状、大きさ、位置、個数について特に制限はない。例えば、台座部１１３の形状や大きさは、使用される鉱石１１１の形状や大きさ等に応じて任意に変更することができる。また、台座部１１３をハウジング本体部１３０に対して固定する方法も特に限定されず、例えば、接着等を採用することができる。
【００３２】
台座部１１３を構成するための材料は特に限定されないが、例えば、シルバーを使用することができる。
【００３３】
なお、鉱石１１１は、台座部１１３を介さずに、ハウジング本体部１３０に直接取り付けてもよい。このように構成する場合、例えば、ハウジング本体部１３０の内面１３１ａには、鉱石１１１を保持可能にするための凹状の溝などを設けることができる。
【００３４】
また、鉱石１１１は、空間部１４０内に少なくとも一部が配置されていればよい。例えば、鉱石１１１は、鉱石１１１の一部がハウジング本体部１３０からはみ出るように配置されていてもよい。台座部１１３も同様にハウジング本体部１３０から一部がはみ出るように配置されていてもよい。
【００３５】
＜ハウジング＞
ハウジング１２０は、ハウジング本体部１３０と、ハウジング本体部１３０の内側に形成され、ハウジング本体部１３０の外部と連通する空間部１４０と、を有する。
【００３６】
ハウジング本体部１３０は、図２、図６に示すように長手方向（矢印Ｘ方向）に延びる縦長の外形を有する。つまり、ハウジング本体部１３０の長手方向に沿う寸法（長さ）は、ハウジング本体部１３０の幅方向（矢印Ｙ方向）に沿う寸法（幅）よりも大きい。
【００３７】
ハウジング本体部１３０は、図２に示す正面視において、長円の形状を有する。
【００３８】
ハウジング本体部１３０の長手方向の一端部１３３及び他端部１３４は、長手方向の外方側に向けて湾曲している。
【００３９】
空間部１４０は、ハウジング本体部１３０の形状と相似形状を有する。つまり、空間部１４０は、ハウジング本体部１３０の内側に長円の形状で区画形成されている。
【００４０】
空間部１４０は、図４、図５に示すように、ハウジング本体部１３０を厚み方向（矢印Ｚ方向）に貫通する孔部で構成されている。そのため、空間部１４０に配置された鉱石１１１から放射されたイオンは、ハウジング本体部１３０の厚み方向に向けて、ハウジング本体部１３０の外部へ円滑に放出される。ユーザーは、図１に示すように、身体Ｈに空間部１４０が臨むようにイオン放射具１００を装着することにより、空間部１４０を介して放射されたイオンを効率良く吸収することができる。
【００４１】
イオン放射部１１０は、図２、図６に示すように、ハウジング本体部１３０の一端部１３３との間に隙間ｇ１を隔てた状態で空間部１４０に配置されている。また、イオン放射部１１０は、ハウジング本体部１３０の他端部１３４との間に隙間ｇ２を隔てた状態で空間部１４０に配置されている。
【００４２】
イオン放射部１１０は、ハウジング本体部１３０の長手方向の略中心位置ｃ１に配置している。そのため、隙間ｇ１の長さ（ハウジング本体部１３０の長手方向に沿う長さ）と隙間ｇ２の長さ（ハウジング本体部１３０の長手方向に沿う長さ）は略同一である。
【００４３】
イオン放射具１００は、上記のように隙間ｇ１と隙間ｇ２が略同一の長さを有するため、空間部１４０に配置された鉱石１１１から放射されたイオンを隙間ｇ１側及び隙間ｇ２側を通じてハウジング本体部１３０の周囲へ略均等な量で放出することができる。そのため、イオン放射具１００を装着したユーザーは、イオン放射具１００の周囲に配置される身体Ｈの各部位から効率良くイオンを吸収することができる。
【００４４】
また、イオン放射具１００は、隙間ｇ１と隙間ｇ２とが略同一の長さを有するため、鉱石１１１とハウジング本体部１３０の配置バランスが均整のとれたものとなる。そのため、イオン放射具１００の外観デザインが見栄えの良いものとなる。
【００４５】
なお、ハウジング本体部１３０の形状（正面視の形状）は、長円のみに限定されない。また、ハウジング本体部１３０の内側に形成される空間部１４０の形状も特に限定されない。例えば、ハウジング本体部１３０と空間部１４０は相似形状を有していなくてもよい。一例として、ハウジング本体部１３０を球形に形成し、空間部１４０が楕円形等で形成されていてもよい。
【００４６】
また、空間部１４０は、ハウジング本体部１３０を貫通する孔部以外で構成されていてもよい。例えば、空間部１４０は、ハウジング本体部１３０の一部を取り除くようにして形成された閉空間で形成されていてもよい。
【００４７】
また、鉱石１１１とハウジング本体部１３０（ハウジング本体部１３０の内面１３１ａ）との間に形成される隙間は、図示した二つの隙間ｇ１、ｇ２の形態に限定されることはない。隙間の大きさ、位置、個数等は任意に変更することが可能である。
【００４８】
図１、図４、図５に示すように、ハウジング本体部１３０の外面１３１ｂの少なくとも一部及びハウジング本体部１３０の内面１３１ａの少なくとも一部には、ハウジング本体部１３０の外部へのイオンの放出を促す第１溝部１３５ａ、１３５ｂ及び第２溝部１３６ａ、１３６ｂを設けることができる。
【００４９】
各第１溝部１３５ａ、１３５ｂは、図４、図５、図６に示すように、ハウジング本体部１３０の内面１３１ａに形成されている。
【００５０】
一方の第１溝部１３５ａと他方の第１溝部１３５ｂは、ハウジング本体部１３０の内面１３１ａの対向する部分（側壁をなす部分）に対をなして形成されている。
【００５１】
一方の第１溝部１３５ａは、図６に示すように、縦長の形状を有するハウジング本体部１３０の長手方向に沿って第１孔部１５０ａと第３孔部１５０ｃの間で連続的に延びている。
【００５２】
他方の第１溝部１３５ｂは、図６に示すように、縦長の形状を有するハウジング本体部１３０の長手方向に沿って第２孔部１５０ｂと第４孔部１５０ｄの間で連続的に延びている。
【００５３】
各第２溝部１３６ａ、１３６ｂは、図４、図５、図６に示すように、ハウジング本体部１３０の外面１３１ｂに形成されている。
【００５４】
一方の第２溝部１３６ａは、図６に示すように、第１孔部１５０ａと第３孔部１５０ｃの間で連続的に延びている。
【００５５】
一方の第２溝部１３６ａは、ハウジング本体部１３０の外面１３１ｂにおいて一方の第１溝部１３５ａと少なくとも一部が重なる位置に形成することができる。本実施形態では、一方の第２溝部１３６ａは、延在方向の全範囲に亘って一方の第１溝部１３５ａと重なるように形成されている。
【００５６】
他方の第２溝部１３６ｂは、図６に示すように、第２孔部１５０ｂと第４孔部１５０ｄの間で連続的に延びている。
【００５７】
他方の第２溝部１３６ｂは、ハウジング本体部１３０の外面１３１ｂにおいて他方の第１溝部１３５ｂと少なくとも一部が重なる位置に形成することができる。本実施形態では、他方の第２溝部１３６ｂは、延在方向の全範囲に亘って他方の第１溝部１３５ｂと重なるように形成されている。
【００５８】
各溝部１３５ａ、１３５ｂ、１３６ａ、１３６ｂは、例えば、図４、図５に示すように、略矩形の断面形状に形成することができる。ただし、各溝部１３５ａ、１３５ｂ、１３６ａ、１３６ｂの断面形状は特に限定されない。各溝部１３５ａ、１３５ｂ、１３６ａ、１３６ｂは、例えば、Ｖ字形状、Ｕ字形状、半円形状等の断面形状で形成することもできる。また、各溝部１３５ａ、１３５ｂ、１３６ａ、１３６ｂは、例えば、溝部ごとに断面形状が異なっていてもよい。
【００５９】
ハウジング本体部１３０において溝部（第１溝部１３５ａ、１３５ｂ及び第２溝部１３６ａ、１３６ｂのいずれかの溝部）が形成された部分は、ハウジング本体部１３０の他の部分よりも厚みが小さくなる。そのため、イオン放射具１００は、ハウジング本体部１３０の内側に形成された空間部１４０に配置した鉱石１１１から放射されたイオンを、ハウジング本体部１３０において溝部が形成された部分を介して、ハウジング本体部１３０の外部へ効率良く放出することができる。
【００６０】
また、一方の第１溝部１３５ａと一方の第２溝部１３６ａ（又は他方の第１溝部１３５ｂと他方の第２溝部１３６ｂ）は、ハウジング本体部１３０の内面１３１ａとハウジング本体部１３０の外面１３１ｂとにおいて互いに少なくとも一部同士が重なるように配置されている。そのため、ハウジング本体部１３０の空間部１４０に配置された鉱石１１１から放射されたイオンを、ハウジング本体部１３０の内面１３１ａ及びハウジング本体部１３０の外面１３１ｂを介して、ハウジング本体部１３０の外部へ効率良く放出することができる。
【００６１】
特に本実施形態に係るイオン放射具１００では、空間部１４０をなす孔部が貫通する厚み方向（矢印Ｚ方向）と直交する幅方向（矢印Ｙ方向）に位置するハウジング本体部１３０の側壁をなす部分に各溝部１３５ａ、１３５ｂ、１３６ａ、１３６ｂが形成されている。そのため、イオン放射具１００は、空間部１４０に形成された各隙間ｇ１、ｇ２によって厚み方向へのイオンの放出量を増加させつつ、ハウジング本体部１３０に形成された各溝部１３５ａ、１３５ｂ、１３６ａ、１３６ｂによって幅方向へのイオンの放射量を増加させることができる。それにより、イオン放射具１００の周囲へのイオンの放射量をより一層効果的に増加させることができる。
【００６２】
なお、イオン放射具１００に形成する溝部の個数、位置、大きさ、長さ等は、溝部によってハウジング本体部１３０の外部へのイオンの放出を促すことが可能な限り、特に限定されない。例えば、溝部は、ハウジング本体部１３０の内面１３１ａ及び外面１３１ｂの任意の箇所に任意の個数を設けることができる。また、例えば、溝部は、ハウジング本体部１３０の内面１３１ａや外面１３１ｂにおいて間隔を空けて断続的に配列された複数の溝部で構成してもよい。
【００６３】
ハウジング本体部１３０は、図１、図６に示すように、ハウジング本体部１３０への付属部材２００の取り付けを可能にする複数の孔部１５０ａ、１５０ｂ、１５０ｃ、１５０ｄを有する。
【００６４】
第１孔部１５０ａ及び第２孔部１５０ｂは、ハウジング本体部１３０の一端部１３３付近に形成している。
【００６５】
第１孔部１５０ａ及び第２孔部１５０ｂは、ハウジング本体部１３０において互いに対向する位置に形成している。
【００６６】
付属部材２００は、例えば、図１に示すように、第１孔部１５０ａ、第２孔部１５０ｂ、及び空間部１４０に通すことができる。付属部材２００を第１孔部１５０ａ、第２孔部１５０ｂ、及び空間部１４０に通すことにより、イオン放射具１００の長手方向をユーザーの身体Ｈの上下方向に合わせて配置することができる。
【００６７】
各孔部１５０ａ、１５０ｂは、付属部材２００の外形よりも大きな形状を有するように形成することができる。このように各孔部１５０ａ、１５０ｂを形成することにより、イオン放射具１００は、付属部材２００に対して、付属部材２００の延在方向に沿って移動可能に保持される。また、イオン放射具１００をネックレスヘッドとして構成した場合、イオン放射具１００に対する付属部材２００の取り付け及び取り外しを簡単に行うことが可能になる。
【００６８】
ユーザーは、図１に示すように、付属部材２００を首に装着することができる。イオン放射具１００は、前述したように付属部材２００に沿って移動することができる。ユーザーが装身具１０を装着した状態において、イオン放射具１００が付属部材２００に沿って移動することにより、イオン放射具１００の周囲の広い範囲に亘ってイオンを効率良く放射することが可能になる。
【００６９】
ハウジング本体部１３０には、第１孔部１５０ａ及び第２孔部１５０ｂとともに、第３孔部１５０ｃ及び第４孔部１５０ｄを設けている。
【００７０】
第３孔部１５０ｃ及び第４孔部１５０ｄは、ハウジング本体部１３０の他端部１３４付近に形成している。第３孔部１５０ｃ及び第４孔部１５０ｄは、ハウジング本体部１３０において互いに対向する位置に形成している。
【００７１】
付属部材２００は、例えば、第３孔部１５０ｃ及び第４孔部１５０ｄに通してもよい。このように付属部材２００を通した場合、ユーザーが装身具１０を装着した際、ハウジング本体部１３０の他端部１３４を上方側に配置し、ハウジング本体部１３０の一端部１３３を下方側に配置することができる。
【００７２】
なお、ハウジング本体部１３０に設ける孔部の個数、位置、形状等について特に制限はない。例えば、ハウジング本体部１３０には、付属部材２００が取り付け可能な孔部を一つだけ設けることも可能である。また、例えば、孔部は、付属部材２００に対してハウジング本体部１３０が移動できないような構造を有していてもよい。換言すると、付属部材２００は、ハウジング本体部１３０に対して固定されていてもよい。
【００７３】
また、ハウジング本体部１３０に対する付属部材２００の取り付け方法は、孔部に付属部材２００を通す形態に限定されない。付属部材２００は、例えば、所定の接続機構（機械篏合式のコネクタ、接着剤、テープ等）を介してハウジング本体部１３０に対して連結分離可能な構造や分離ができない構造で構成してもよい。
【００７４】
ハウジング本体部１３０を構成する材料は特に限定されないが、例えば、アルミニウムを使用することができる。
【００７５】
＜付属部材＞
付属部材２００は、ハウジング本体部１３０をユーザーの身体Ｈに取り付け可能にする細長い部材で構成することができる。細長い部材としては、例えば、金属製のチェーンを使用することができる。なお、付属部材２００の任意の位置に、図１に示すようにユーザーの首に付属部材２００を装着した状態を維持する接続機構（留め具等）を配置することができる。
【００７６】
付属部材２００の長さ、形状、材質等は、イオン放射具１００の用途に応じて任意に変更することができる。例えば、付属部材２００は、弾性変形可能な材料や、細径な金属線に樹脂材料がコーティングされたもの等で構成してもよい。また、付属部材２００は、複数の部材（例えば、分割された複数の細長い部材）で構成することも可能である。また、例えば、付属部材２００にイオンを放出する粒子等を含有させてもよい。
【００７７】
以上のように、本実施形態に係るイオン放射具１００は、イオンを放射する鉱石１１１を備えるイオン放射部１１０と、イオン放射部１１０を保持するハウジング１２０と、を有する。ハウジング１２０は、ハウジング本体部１３０と、ハウジング本体部１３０の内側に形成され、ハウジング本体部１３０の外部と連通する空間部１４０と、を有する。イオン放射部１１０は、イオン放射部１１０の少なくとも一部とハウジング本体部１３０の少なくとも一部との間に隙間ｇ１、ｇ２を隔てた状態で、空間部１４０に配置されている。
【００７８】
上記のように構成されたイオン放射具１００によれば、ハウジング１２０の空間部１４０に配置されたイオン放射部１１０が備える鉱石１１１から放射されたイオンは、イオン放射部１１０とハウジング本体部１３０との間に形成された隙間ｇ１、ｇ２を介して、ハウジング本体部１３０の周囲へ向けて効率良く放射される。また、ハウジング１２０の空間部１４０及び空間部１４０に配置されたイオン放射部１１０は、ハウジング１２０の外部から視認可能である。そのため、イオン放射具１００は、空間部１４０及びイオン放射部１１０によって、優れた造形性を備える外観デザインを構成することができる。
【００７９】
＜変形例＞
図７には、変形例に係るイオン放射具１００Ａ及び装身具１０Ａを示す。なお、変形例の説明において、上述した実施形態で既に説明した部材や内容についての説明は適宜省略する。
【００８０】
図７に示すように、イオン放射具１００Ａは、ハウジング１２０の長手方向をユーザーの身体の左右方向（両腕方向）に一致させるようにした状態で使用することも可能である。このようにイオン放射具１００Ａを使用する場合、例えば、ハウジング本体部１３０Ａの各端部１３３、１３４付近に付属部材２００を挿通及び固定するための孔部１５０ｅ、１５０ｆを設けることができる。
【００８１】
付属部材２００は、例えば、孔部１５０ｅに固定される細長い部材（例えば、金属製のチェーン）と、孔部１５０ｆに固定される細長い部材（例えば、金属製のチェーン）の二つの部材で構成することができる。
【００８２】
＜台座部の変形例１＞
図８に示すように、台座部１１３Ａは、例えば、鉱石１１１を部分的に覆うように配置される二つの部材１１３ｂ、１１３ｃで構成することも可能である。各部材１１３ｂ、１１３ｃは、例えば、半円の形状で構成することができる。二つの部材１１３ｂ、１１３ｃの間に開口部１１３ａをなす隙間を設けるようにして、各部材１１３ｂ、１１３ｃ同士を接続することができる。二つの部材１１３ｂ、１１３ｃを接続する方法としては、例えば、ネジ留めや接着剤を使用することができる。
【００８３】
＜台座部の変形例２＞
図９に示すように、台座部１１３Ｂは、例えば、ハウジング本体部１３０の幅方向に延びる枠体で構成することも可能である。
【００８４】
上記各変形例で示したように、台座部は、ハウジング本体部に対して鉱石を取り付け可能に構成されている限り、具体的な構造は特に限定されない。
【００８５】
以上、実施形態及び変形例を通じて本考案に係る装身具及びイオン放射具を説明したが、本考案は実施形態で説明した内容のみに限定されるものでなく、実用新案登録請求の範囲の記載に基づいて適宜変更することが可能である。
【符号の説明】
【００８６】
１０、１０Ａ    装身具
１００、１００Ａ    イオン放射具
１１０    イオン放射部
１１１    鉱石
１１３、１１３Ａ、１１３Ｂ    台座部
１１３ａ    台座部の開口部
１２０    ハウジング
１３０、１３０Ａ    ハウジング本体部
１３１ａ    ハウジング本体部の内面
１３１ｂ    ハウジング本体部の外面
１３３    ハウジング本体部の一端部
１３４    ハウジング本体部の他端部
１３５ａ    第１溝部（溝部）
１３５ｂ    第１溝部（溝部）
１３６ａ    第２溝部（溝部）
１３６ｂ    第２溝部（溝部）
１４０    空間部
１５０ａ    第１孔部（孔部）
１５０ｂ    第２孔部（孔部）
１５０ｃ    第３孔部（孔部）
１５０ｄ    第４孔部（孔部）
１５０ｅ、１５０ｆ    孔部
２００    付属部材
ｃ１    ハウジング本体部の長手方向の中心位置
ｇ１、ｇ２    隙間
【図１】
0003229115.tif 000003
【図２】
0003229115.tif 000004
【図３】
0003229115.tif 000005
【図４】
0003229115.tif 000006
【図５】
0003229115.tif 000007
【図６】
0003229115.tif 000008
【図７】
0003229115.tif 000009
【図８】
0003229115.tif 000010
【図９】
0003229115.tif 000011